(57)【要約】【課題】ロール紙が給紙する際に、ロール紙の回転に伴う転動の衝撃や振動を抑制することができるロール紙収容構造を提供する。【解決手段】  収容部１０に収容されたロール紙Ｒの転動方向Ｅにおいて、ロール紙Ｒの下流側に設けられた、ロール紙Ｒを支持する前壁１５と、前壁１５に配置された、ロール紙Ｒに当接可能な当接部（第１当接部２１，第２当接部２２）と、当接部（第１当接部２１，第２当接部２２）を転動方向Ｅとは反対方向に付勢可能な付勢部材３０と、を備える。【選択図】図７
2020062854.tif 000002
【特許請求の範囲】
【請求項１】
収容部に収容されたロール紙の転動方向において、前記ロール紙の下流側に設けられた、前記ロール紙を支持する前壁と、
前記前壁に配置された、前記ロール紙に当接可能な当接部と、
前記当接部を前記転動方向とは反対方向に付勢可能な付勢部材と、を備える
ことを特徴とする、ロール紙収容構造。
【請求項２】
前記当接部は、
第１当接部と、
前記第１当接部より下方に配置された第２当接部と、を備える
ことを特徴とする、請求項１に記載のロール紙収容構造。
【請求項３】
前記第１当接部と、前記第２当接部との間を繋ぐアーム部と、
前記アーム部を傾動可能に支持する、前記付勢部材に付勢される支持部と、を備える
ことを特徴とする、請求項２に記載のロール紙収容構造。
【請求項４】
前記支持部は、前記アーム部の中央より上方に設けられる
ことを特徴とする、請求項３に記載のロール紙収容構造。
【請求項５】
前記当接部は、ローラである
ことを特徴とする、請求項１〜４の何れか一項に記載のロール紙収容構造。
【請求項６】
前記前壁は、前方向に開閉可能な前カバーである
ことを特徴とする、請求項１〜５の何れか一項に記載のロール紙収容構造。
【請求項７】
請求項１〜６の何れか一項に記載のロール紙収容構造を備える画像形成装置。
【発明の詳細な説明】
【技術分野】
【０００１】
本発明は、ロール紙収容構造及び画像形成装置に関するものである。
【背景技術】
【０００２】
従来、収容部に収容されたロール紙の回転を阻害しないように、収容部にロール紙と当接するローラを設けることが知られている（例えば、特許文献１参照）。
【０００３】
特許文献１には、ロール紙収容部の前方でロール紙に当接する位置に、回転可能な保持ローラを備える構成が開示されている。これにより、ロール紙から供給される用紙を円滑に引き出して搬送することができる。
【先行技術文献】
【特許文献】
【０００４】
【特許文献１】特開２００７−７６２８０号公報
【発明の概要】
【発明が解決しようとする課題】
【０００５】
しかしながら、特許文献１に記載の構成では、ロール紙が給紙する際に、回転するロール紙と、これを支持する底板部分との摩擦等によって、ロール紙の回転に伴う転動の衝撃や振動を抑制することができない、という問題がある。
【０００６】
そこで、本発明は、ロール紙が給紙する際に、ロール紙の回転に伴う転動の衝撃や振動を抑制することができるロール紙収容構造を提供することを目的とする。
【課題を解決するための手段】
【０００７】
前記目的を達成するために、本発明のロール紙収容構造は、収容部に収容されたロール紙の転動方向において、前記ロール紙の下流側に設けられた、前記ロール紙を支持する前壁と、前記前壁に配置された、前記ロール紙に当接可能な当接部と、前記当接部を前記転動方向とは反対方向に付勢可能な付勢部材と、を備えることを特徴とする。
【発明の効果】
【０００８】
このように構成された本発明のロール紙収容構造は、ロール紙から給紙する際に、ロール紙の回転に伴う転動の衝撃や振動を抑制することができる。
【図面の簡単な説明】
【０００９】
【図１】実施例１のサーマルプリンタの前カバーが閉位置の状態を示す斜視図である。
【図２】実施例１のサーマルプリンタの前カバーが開位置の状態を示す斜視図である。
【図３】実施例１のサーマルプリンタの前カバーが閉位置の状態の構成を示す断面図である。
【図４】実施例１の前カバーの構成を示す斜視図である。
【図５】実施例１のダンパ部材と周辺を示す分解斜視図である。
【図６】実施例１の前カバーの構成を示す断面図である。
【図７】実施例１のダンパ部材の構成を示す断面図である。
【図８】実施例１のダンパ部材の、大きいロール径のロール紙に対する動作を説明する説明図である。
【図９】実施例１のダンパ部材の、大きいロール径のロール紙に対する動作を説明する説明図である。
【図１０】実施例１のダンパ部材の、小さいロール径のロール紙に対する動作を説明する説明図である。
【図１１】実施例２のダンパ部材の構成を示す断面図である。
【発明を実施するための形態】
【００１０】
以下、本発明によるロール紙収容構造及び画像形成装置を実現する実施形態を、図面に示す実施例１に基づいて説明する。
【実施例１】
【００１１】
実施例１におけるロール紙収容構造及び画像形成装置は、感熱紙に印刷を行う感熱式のサーマルプリンタに適用される。
【００１２】
［サーマルプリンタの構成］
図１は、実施例１のサーマルプリンタの前カバーが閉位置の状態を示す斜視図である。図２は、実施例１のサーマルプリンタの前カバーが開位置の状態を示す斜視図である。図３は、実施例１のサーマルプリンタの前カバーが閉位置の状態の構成を示す断面図である。以下、図１〜図３に基づいて、実施例１のサーマルプリンタの構成を説明する。
【００１３】
なお、サーマルプリンタ１の幅方向を幅方向Ｘとし、サーマルプリンタ１の前後方向を前後方向Ｙとし、サーマルプリンタ１の上下方向を上下方向Ｚとする。また、前後方向Ｙのうち、前方向を前方向Ｆとし、後方向を後方向Ｂとする。
【００１４】
画像形成装置としてのサーマルプリンタ１は、図１に示すように、筺体本体２と、前カバー３と、を備える筺体１Ａを有する。
【００１５】
筺体本体２は、図２に示すように、サーマルプリンタ１の前側に開口部２ａを有する箱状に形成される。前カバー３は、開口部２ａの下側の縁に軸支され、開口部２ａを閉塞する閉位置と、開口部２ａを開放する開位置と、を回動可能とする。前カバー３は、起立した状態から前方向Ｆに倒れた状態になって開位置になり、倒れた状態から起立した状態になって閉位置となり、前方向Ｆに開閉可能とする。
【００１６】
筺体本体２の内部には、図３に示すように、収容部１０と、サーマルヘッドユニット５と、が設けられる。
【００１７】
収容部１０は、底仕切部１１と、後仕切部１２と、上仕切部１３と、から構成され、ロール紙Ｒを収容可能とする。ロール紙Ｒは、長尺状の連続紙がロール状に巻かれたものである。
【００１８】
底仕切部１１は、筺体本体２の内部の底面付近に、サーマルプリンタ１の前方向Ｆに向けて下方に傾斜した斜面で形成される。後仕切部１２は、底仕切部１１の後側の端部から起立して形成される。上仕切部１３は、後仕切部１２の上端から前方向Ｆに向けて延在して形成される。
【００１９】
サーマルヘッドユニット５は、筺体本体２の内部に取り付けられる。前カバー３が閉位置の状態において、前カバー３に取り付けられたプラテンローラ４は、サーマルヘッドユニット５と対向するように配置される。サーマルヘッドユニット５がプラテンローラ４に当接する方向に付勢された状態で、サーマルヘッドユニット５は、記録紙Ｐに感熱印刷を行う。
【００２０】
前カバー３の裏面には、プラテンローラ４と、前壁１５と、が取り付けられる。プラテンローラ４は、図示しないモータに接続され、ロール紙Ｒから繰り出された記録紙Ｐを排出口６に搬送する給紙ローラの役割を果たす。
【００２１】
前壁１５は、前カバー３が閉位置の状態において、収容部１０に収容されたロール紙Ｒを前側から支持する。すなわち、前壁１５は、ロール紙Ｒの転動方向Ｅに、ロール紙Ｒが転がることを防止する役割を果たす。転動方向Ｅとは、ロール紙Ｒからの給紙によってロール紙Ｒが回転した際に、ロール紙Ｒが移動しようとする方向（図３で左方向）をいう。
【００２２】
前壁１５と、底仕切部１１と、後仕切部１２と、上仕切部１３と、で囲まれた空間はロール紙Ｒを収容する収容空間Ｓを構成する。
【００２３】
このように構成されたサーマルプリンタ１は、プラテンローラ４が回転することで、ロール紙Ｒから記録紙Ｐが繰り出される。ロール紙Ｒから繰り出された記録紙Ｐは、搬送方向Ｇに搬送され、サーマルヘッドユニット５によって、感熱印刷が行われる。感熱印刷が行われた記録紙Ｐは、排出口６から排出される。
【００２４】
［ダンパ部材と周辺の構成］
図４は、実施例１の前カバー３の構成を示す斜視図である。図５は、実施例１のダンパ部材２０と周辺を示す分解斜視図である。図６は、実施例１の前カバー３の構成を示す断面図である。図７は、実施例１のダンパ部材２０の構成を示す断面図である。以下、図４〜図７に基づいて、実施例１のダンパ部材と周辺の構成を説明する。
【００２５】
ダンパ部材２０は、前カバー３の裏面に取り付けられた前壁１５に取り付けられて、ロール紙Ｒを転動方向Ｅの反対方向に付勢する。すなわち、ダンパ部材２０は、ロール紙Ｒの前側から、ロール紙Ｒを後方向Ｂに付勢する。
【００２６】
（前壁の構成）
前壁１５は、図４〜図６に示すように、前壁本体１５ａと、前壁本体１５ａの幅方向Ｘの両端部に設けられた前壁側部１５ｂ，１５ｃと、を備える。
【００２７】
前壁本体１５ａは、最大径のロール紙Ｒの形状に略沿うように、断面円弧状に形成される。前壁本体１５ａには、開口部１５ｄが形成される。開口部１５ｄは、上下方向Ｚで、前壁本体１５ａの略中央に形成される。開口部１５ｄには、ダンパ部材２０の一部が挿入される。
【００２８】
前壁側部１５ｂ，１５ｃは、前方向Ｆに向けて突出する突出部１５ｅと、突出部１５ｅより上方に位置する第１切欠き部１５ｈと、突出部１５ｅより下方に位置する第２切欠き部１５ｉと、を備える。
【００２９】
突出部１５ｅは、上下方向Ｚで開口部１５ｄの略中央に設けられる。突出部１５ｅの先端には、略Ｕ字状の切欠き部１５ｆを有する。突出部１５ｅの基端には、後述する付勢部材３０の一方の端部３０ａを引っ掛ける引っ掛け部１５ｇを有する。
【００３０】
第１切欠き部１５ｈは、突出部１５ｅより上方に設けられる。第１切欠き部１５ｈは、前方向Ｆに開口するように、断面矩形状に形成される。
【００３１】
第２切欠き部１５ｉは、突出部１５ｅより下方に設けられる。第２切欠き部１５ｉは、前方向Ｆに開口するように、断面矩形状に形成される。
【００３２】
（ダンパ部材の構成）
ダンパ部材２０は、図４〜図６に示すように、上下方向Ｚにおいて、前壁１５の中央付近に設けられる。
【００３３】
ダンパ部材２０は、図７に示すように、アーム部２３と、アーム部２３の上端に設けられる当接部としての第１当接部２１と、アーム部２３の下端に設けられる当接部としての第２当接部２２と、アーム部２３を支持する支持部２４と、第１切欠き部１５ｈに当接可能な第１凸部２５と、第２切欠き部１５ｉに当接可能な第２凸部２６と、アーム部２３を後方向Ｂに付勢する付勢部材３０と、を備える。
【００３４】
アーム部２３は、幅方向Ｘに延在した板状に形成される。アーム部２３は、上端が下端より後方向Ｂに位置し、やや傾斜した傾斜姿勢Ｓ１で設けられる。
【００３５】
第１当接部２１は、アーム部２３の上端に設けられる。第１当接部２１は、ロール紙Ｒとの摺動抵抗を小さくするためにローラで形成され、ロール紙Ｒに当接して回転可能とする。第１当接部２１は、幅方向Ｘに複数配置される。第１当接部２１は、開口部１５ｄから後方向Ｂに一部が突出するように設けられる。
【００３６】
第２当接部２２は、アーム部２３の下端に設けられる。第２当接部２２は、ロール紙Ｒとの摺動抵抗を小さくするためにローラで形成され、ロール紙Ｒに当接して回転可能とする。第２当接部２２は、幅方向Ｘに複数配置される。第２当接部２２は、開口部１５ｄから後方向Ｂに一部が突出するように設けられる。
【００３７】
支持部２４は、上下方向Ｚで、アーム部２３の略中央に設けられる。支持部２４は、アーム支持軸３１に軸支される。アーム支持軸３１は、切欠き部１５ｆに支持される。切欠き部１５ｆはＺ方向の幅においてアーム支持軸３１に略嵌合するよう設定されている。そのため、アーム支持軸３１は、切欠き部１５ｆに沿って、前後方向Ｙに移動可能であり、上下方向Ｚには移動不可となる。アーム部２３は、支持部２４を介して、アーム支持軸３１を中心として回動可能とする。すなわち、アーム部２３は、支持部２４によって、傾動可能に支持される。
【００３８】
第１凸部２５は、円柱状に形成され、アーム部２３の幅方向Ｘの両端から、外側に突出する。第１凸部２５は、上下方向Ｚで、アーム部２３の上側に設けられる。第１凸部２５は、第１切欠き部１５ｈに当接可能とする。
【００３９】
第２凸部２６は、円柱状に形成され、アーム部２３の幅方向Ｘの両端から、外側に突出する。第２凸部２６は、上下方向Ｚで、アーム部２３の下側に設けられる。第２凸部２６は、第２切欠き部１５ｉに当接可能とする。
【００４０】
付勢部材３０は、例えば、引張ばねとする。付勢部材３０は、アーム部２３の幅方向Ｘで両側付近に設けられる。付勢部材３０の一方の端部３０ａは、フック状に形成され、引っ掛け部１５ｇに引っ掛けられる。付勢部材３０の他方の端部３０ｂは、フック状に形成され、アーム支持軸３１に引っ掛けられる。
【００４１】
これにより、アーム支持軸３１は、後方向Ｂに付勢される。すなわち、支持部２４は、アーム支持軸３１を介して、付勢部材３０に付勢される。言い換えると、ダンパ部材２０は、後方向Ｂに付勢されることになる。
【００４２】
［ダンパ部材の動作］
図８は、実施例１のダンパ部材２０の、大きいロール径のロール紙に対する動作を説明する説明図である。図９は、実施例１のダンパ部材２０の、大きいロール径のロール紙に対する動作を説明する説明図である。図１０は、実施例１のダンパ部材２０の、小さいロール径のロール紙に対する動作を説明する説明図である。以下、図８〜図１０に基づいて、実施例１のダンパ部材２０の動作を説明する。
【００４３】
（大きいロール径のロール紙）
収容部１０に大きいロール径Ｄ１のロール紙Ｒ１が収容されているとする。この場合、プラテンローラ４が回転してロール紙Ｒ１が記録紙Ｐの給紙を開始すると、ロール紙Ｒ１は、転動方向Ｅに移動しようとする。図８に示すように、ロール紙Ｒ１は、第１当接部２１に当接しているので、第１当接部２１を前方向Ｆに押すことで、付勢部材３０の後方向Ｂへの付勢力が働く。
【００４４】
更に、図９に示すように、第２切欠き部１５ｉに当接した第２凸部２６を支点として、アーム部２３が、回転する。そうすると、アーム部２３は、上端が後方向Ｂにやや傾斜した傾斜姿勢Ｓ１から、垂直となる垂直姿勢Ｓ２になる。
【００４５】
垂直姿勢Ｓ２になると、ロール紙Ｒ１は、第１当接部２１と第２当接部２２とに当接する。そして、ロール紙Ｒ１は、第１当接部２１と第２当接部２２を前方向Ｆに押すが、後方向Ｂに付勢部材３０の付勢力が作用する。
【００４６】
これにより、ダンパ部材２０は、ロール紙Ｒ１の回転に伴う転動の衝撃や振動を抑制する。
【００４７】
（小さいロール径のロール紙）
収容部１０にロール径Ｄ１より小さいロール径Ｄ２のロール紙Ｒ２が収容されているとする。この場合、プラテンローラ４が回転してロール紙Ｒ２が記録紙Ｐの給紙を開始すると、ロール紙Ｒ２は、転動方向Ｅに移動しようとする。ロール紙Ｒ２は、第２当接部２２に当接しているので、付勢部材３０の後方向Ｂへの付勢力に抗して、第２当接部２２を前方向Ｆに押す。
【００４８】
次いで、図１０に示すように、第１切欠き部１５ｈに当接した第１凸部２５を支点として、アーム部２３が、回転する。そうすると、アーム部２３は、上端が後方向Ｂにやや傾斜した傾斜姿勢Ｓ１から、さらに傾斜した第２傾斜姿勢Ｓ３となる。
【００４９】
そして、ロール紙Ｒ２は、第２当接部２２を前方向Ｆに押すが、後方向Ｂに付勢部材３０の付勢力が作用する。
【００５０】
これにより、ダンパ部材２０は、ロール紙Ｒ２の回転に伴う転動の衝撃や振動を抑制する。
【００５１】
［ロール紙収容構造及び画像形成装置の作用］
実施例１のロール紙収容構造及び画像形成装置の作用を説明する。実施例１の画像形成装置（サーマルプリンタ１）は、収容部１０に収容されたロール紙Ｒの転動方向Ｅにおいて、ロール紙Ｒの下流側に設けられた、ロール紙Ｒを支持する前壁１５と、前壁１５に配置された、ロール紙Ｒに当接可能な当接部（第１当接部２１，第２当接部２２）と、当接部（第１当接部２１，第２当接部２２）を転動方向Ｅとは反対方向に付勢可能な付勢部材３０と、を備える（図８）。
【００５２】
これにより、ロール紙Ｒが転動方向Ｅに移動した際に、前壁１５と衝突する衝撃を緩和する。そのため、衝突により発生する振動や、ロール紙Ｒと前壁１５との摩擦力を低減し、給紙ローラ（プラテンローラ４）に過大な負荷をかけないようにすることができる。その結果、印字の乱れを防止することができる。
【００５３】
実施例１の画像形成装置（サーマルプリンタ１）では、当接部は、第１当接部２１と、第１当接部２１より下方に配置された第２当接部２２と、を備える（図８）。
【００５４】
これにより、大きいロール径Ｄ１のロール紙Ｒ１は、第１当接部２１に当接させ、小さいロール径Ｄ２のロール紙Ｒ２は、第２当接部２２に当接させることができる。そのため、ロール径の異なるロール紙Ｒ１，Ｒ２に対して、１つのダンパ部材２０で、印字の乱れを防止することができる。
【００５５】
実施例１の画像形成装置（サーマルプリンタ１）では、第１当接部２１と、第２当接部２２との間を繋ぐアーム部２３と、アーム部２３を傾動可能に支持する、付勢部材３０に付勢される支持部２４と、を備える（図８）。
【００５６】
これにより、大きいロール径Ｄ１のロール紙Ｒ１に対しては、アーム部２３を傾動させて、第１当接部２１と第２当接部２２に当接させることができる。そのため、大きいロール径Ｄ１のロール紙Ｒ１に対して、安定して荷重を受けることができる。
【００５７】
実施例１の画像形成装置（サーマルプリンタ１）では、当接部（第１当接部２１，第２当接部２２）は、ローラである（図７）。
【００５８】
これにより、ロール紙Ｒが回転した際の、ロール紙Ｒと当接部（第１当接部２１，第２当接部２２）との間の摩擦を低減することができる。そのため、印字品質を向上させることができる。
【００５９】
実施例１の画像形成装置（サーマルプリンタ１）では、前壁１５は、前方向Ｆに開閉可能な前カバー３に形成される（図２）。
【００６０】
ところで、当接部（第１当接部２１、第２当接部２２）は、付勢部材３０により付勢されて前壁本体１５ａよりも突出している。しかし、前カバー３を開いて、新しいロール紙Ｒを収容部１０に収容する際に、当接部（第１当接部２１、第２当接部２２）は、ロール紙Ｒの重みにより前壁本体１５ａ側に沈んで引っ込む。そのため、当接部（第１当接部２１、第２当接部２２）が邪魔にならず容易にロール紙Ｒをセットすることができる。その結果、当接部（第１当接部２１、第２当接部２２）を付勢部材３０により付勢して前壁本体１５ａよりも突出させるだけの簡単な構造により、装置を小型化することができる。
【実施例２】
【００６１】
実施例２のロール紙収容構造及び画像形成装置は、アーム部の支持部の位置が異なる点で、実施例１のロール紙収容構造及び画像形成装置と相違する。
【００６２】
［ロール紙収容構造の構成］
図１１は、実施例２のダンパ部材の構成を示す断面図である。以下、図１１に基づいて、実施例２のダンパ部材の構成を説明する。なお、上記実施例で説明した内容と同一乃至均等な部分の説明については、同一用語又は同一の符号を用いて説明する。
【００６３】
実施例２のダンパ部材１２０の支持部１２４は、上下方向Ｚで、アーム部２３の中央より上側に設けられる。言い換えると、支持部１２４は、上下方向Ｚで、第１当接部２１から距離Ｌ１で、第２当接部２２から距離Ｌ１より長い距離Ｌ２の位置に設けられる。
【００６４】
［ロール紙収容構造及び画像形成装置の作用］
実施例２のロール紙収容構造及び画像形成装置の作用を説明する。実施例２の画像形成装置（サーマルプリンタ１）では、支持部１２４は、アーム部２３の中央より上方に設けられる（図１１）。
【００６５】
ところで、印字速度が一定の時、ロール紙Ｒの転動による衝撃力は、ロール紙Ｒのロール径が大きいほど（質量大のほど）強くなる。そのため、ロール紙Ｒのロール径が大きい時に、ロール紙Ｒに当接して衝撃を吸収する第１当接部２１の付勢力を大きくすることで、大きな衝撃を吸収することができる。また、ロール紙Ｒのロール径が小さくなった時には、ロール紙Ｒの転動による衝撃力も弱くなるので、ロール紙Ｒのロール径が小さい時に当接して衝撃を吸収する第２当接部２２の付勢力は、第１当接部２１の付勢力よりも弱くてよい。
【００６６】
すなわち、第１当接部２１の付勢力を第２当接部２２の付勢力よりも大きくすることで、ロール紙Ｒの大きさに適した衝撃吸収力を得ることができる。
【００６７】
なお、他の構成及び作用効果については、上記実施例と略同様であるので説明を省略する。
【００６８】
以上、本発明の画像形成装置を実施例１及び実施例２に基づき説明してきた。しかし、具体的な構成については、これらの実施例に限られるものではなく、特許請求の範囲の各請求項に係る発明の要旨を逸脱しない限り、設計の変更や追加等は許容される。
【００６９】
実施例１及び実施例２では、アーム部２３は、アーム支持軸３１を中心軸として回動可能とする例を示した。しかし、アーム部は、アーム支持軸に固定されてもよい。
【００７０】
実施例１及び実施例２では、当接部は、第１当接部２１と第２当接部２２とする例を示した。しかし、当接部としては、１つであってもよいし、３つ以上であってもよい。
【００７１】
実施例１及び実施例２では、付勢部材３０は、圧縮ばねとする例を示した。しかし、付勢部材としては、この態様に限定されず、アーム支持軸を後方向Ｂに付勢するものであればよい。
【００７２】
実施例１及び実施例２では、第１当接部２１と第２当接部２２は、ローラとして構成する例を示した。しかし、第１当接部と第２当接部は、この態様に限定されず、例えばロール紙への当接部が、断面円弧状の曲面であってもよい。
【００７３】
実施例１及び実施例２では、サーマルプリンタ１は、前側が開く前カバー３を備える例を示した。しかし、サーマルプリンタは、上側が開く上カバーを備えてもよい。
【００７４】
実施例１及び実施例２では、本発明をロール紙Ｒが前方向Ｆに転動するロール紙収容構造に適用する例を示した。しかし、本発明は、ロール紙が後方向Ｂに転動するロール紙収容構造に適用することもできる。
【００７５】
実施例１及び実施例２では、本発明を感熱紙に印刷を行う感熱式のサーマルプリンタに適用する例を示した。しかし、本発明は、インクリボンを使用するサーマルプリンタに適用することができる。また、本発明は、インパクト方式のプリンタ、レーザプリンタ、インクジェットプリンタ、プロッタ、ワードプロセッサ、ファクシミリ、複写機等、またはこれら２つ以上の機能を備えた複合機等の画像形成装置にも適用可能である。
【符号の説明】
【００７６】
１        サーマルプリンタ（画像形成装置の一例）
３        前カバー
４        支持部
１０      収容部
１５      前壁
２１      第１当接部（当接部の一例）
２２      第２当接部（当接部の一例）
２３      アーム部
３０      付勢部材
Ｅ        転動方向
Ｒ        ロール紙
【図１】
2020062854.tif 000003
【図２】
2020062854.tif 000004
【図３】
2020062854.tif 000005
【図４】
2020062854.tif 000006
【図５】
2020062854.tif 000007
【図６】
2020062854.tif 000008
【図７】
2020062854.tif 000009
【図８】
2020062854.tif 000010
【図９】
2020062854.tif 000011
【図１０】
2020062854.tif 000012
【図１１】
2020062854.tif 000013
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
収容部の底面にロール紙の外周面が当接して収容された前記ロール紙が転がる方向である転動方向において、前記ロール紙の下流側に設けられた、前記ロール紙を支持する前壁と、
前記前壁に配置された、前記ロール紙に当接可能な当接部と、
前記当接部を前記転動方向とは反対方向に付勢可能な付勢部材と、を備え、
前記当接部は、第１当接部と、前記第１当接部より下方に配置された第２当接部と、を備える
ことを特徴とする、ロール紙収容構造。
【請求項２】
前記第１当接部と、前記第２当接部との間を繋ぐアーム部と、
前記第１当接部と、前記第２当接部との間に配置される、前記アーム部を傾動可能に支持する、前記付勢部材に付勢される支持部と、を備える
ことを特徴とする、請求項１に記載のロール紙収容構造。
【請求項３】
前記支持部は、前記アーム部の中央より上方に設けられる
ことを特徴とする、請求項２に記載のロール紙収容構造。
【請求項４】
前記当接部は、ローラである
ことを特徴とする、請求項１〜３の何れか一項に記載のロール紙収容構造。
【請求項５】
前記前壁は、前方向に開閉可能な前カバーである
ことを特徴とする、請求項１〜４の何れか一項に記載のロール紙収容構造。
【請求項６】
請求項１〜５の何れか一項に記載のロール紙収容構造を備える画像形成装置。
【手続補正２】
【補正対象書類名】明細書
【補正対象項目名】０００７
【補正方法】変更
【補正の内容】
【０００７】
前記目的を達成するために、本発明のロール紙収容構造は、収容部の底面にロール紙の外周面が当接して収容された前記ロール紙が転がる方向である転動方向において、前記ロール紙の下流側に設けられた、前記ロール紙を支持する前壁と、前記前壁に配置された、前記ロール紙に当接可能な当接部と、前記当接部を前記転動方向とは反対方向に付勢可能な付勢部材と、を備え、前記当接部は、第１当接部と、前記第１当接部より下方に配置された第２当接部と、を備えることを特徴とする。